【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
特定のエンティティの位置情報を検証するためのコンピュータ実装方法であって、前記コンピュータ実装方法が、
特定のエンティティに関連する位置情報を識別するステップと、
前記位置情報に基づいて、複数の候補のエンティティを含む候補のエンティティのセットを決定するステップであって、各候補のエンティティが前記特定のエンティティとは異なり、前記候補のエンティティのセットが、候補の位置の基準を満たす候補のエンティティを含む妥当なセットを含む、ステップと、
前記候補のエンティティのセットおよび前記候補の位置の基準を前記特定のエンティティに送信するステップと、
前記候補のエンティティのうちの1つまたは複数を含む選択されたエンティティのセットを受信するステップと、
前記選択されたエンティティのセットが、位置の検証閾値を満たす前記妥当なセットのうちのいくつかの候補のエンティティを含むと決定するステップと、
前記選択されたエンティティのセットが、前記位置の検証閾値を超える前記妥当なセットのうちのいくつかの候補のエンティティを含むと決定することに応答して、前記特定のエンティティの前記位置情報が検証されると決定するステップと
を含む、コンピュータ実装方法。
【請求項２】
前記特定のエンティティが第1のエンティティであり、前記候補のエンティティのセットが第1の候補のエンティティのセットであり、前記妥当なセットが第1の妥当なセットであり、前記選択されたエンティティのセットが第1の選択されたエンティティのセットであり、前記方法が、
第2のエンティティと関連する位置情報を識別するステップと、
前記位置情報に基づいて、前記候補の位置の基準を満たす候補エンティティを含む第2の妥当なセットを含む第2の候補のエンティティのセットを決定するステップと、
前記第2の候補のエンティティのセットおよび前記候補の位置の基準を前記第2のエンティティに送信するステップと、
前記候補のエンティティのうちの1つまたは複数を含む第2の選択されたエンティティのセットを受信するステップと、
前記第2の選択されたエンティティのセットが、前記位置の検証閾値を満たさない前記妥当なセットのうちのいくつかの候補エンティティを含むと決定するステップと、
前記第2の選択されたエンティティのセットが、前記位置の検証閾値を満たさない前記妥当なセットのうちのいくつかの候補エンティティを含むと決定することに応答して、前記特定のエンティティの前記位置情報が検証されないと決定するステップと、
をさらに含む、請求項1に記載のコンピュータ実装方法。
【請求項３】
前記候補の位置の基準が近接条件を含む、請求項1に記載のコンピュータ実装方法。
【請求項４】
前記近接条件が前記位置情報によって指定される位置の周りの区域を指定し、その位置が前記区域内である場合、候補のエンティティが前記近接条件を満たす、請求項3に記載のコンピュータ実装方法。
【請求項５】
前記候補の位置の基準が非近接条件を含む、請求項1に記載のコンピュータ実装方法。
【請求項６】
前記非近接条件が前記位置情報によって指定される位置の周りの区域を指定し、その位置が前記区域の外である場合、候補エンティティは前記非近接条件を満たす、請求項5に記載のコンピュータ実装方法。
【請求項７】
前記候補のエンティティのセットが、各候補のエンティティのための、前記候補のエンティティの名前情報、前記候補のエンティティの実際の情景画像、および前記候補のエンティティの商標情報のうちの少なくとも一つを含む、請求項1に記載のコンピュータ実装方法。
【請求項８】
前記位置の検証閾値が前記妥当なセットの割合を含む、請求項1に記載のコンピュータ実装方法。
【請求項９】
前記特定のエンティティの前記位置情報が検証されると決定するステップが、前記特定のエンティティが前記位置情報に一致する物理的位置に関連すると決定するステップを含む、請求項1に記載のコンピュータ実装方法。
【請求項１０】
特定のエンティティに関連する位置情報を識別するステップと、
前記位置情報に基づいて、複数の候補のエンティティを含む候補のエンティティのセットを決定するステップであって、各候補のエンティティが前記特定のエンティティとは異なり、前記候補のエンティティのセットが、候補の位置の基準を満たす候補のエンティティを含む妥当なセットを含む、ステップと、
前記候補のエンティティのセットおよび前記候補の位置の基準を前記特定のエンティティに送信するステップと、
前記候補のエンティティのうちの1つまたは複数を含む選択されたエンティティのセットを受信するステップと、
前記選択されたエンティティのセットが、位置の検証閾値を満たす前記妥当なセットのうちのいくつかの候補のエンティティを含むと決定するステップと、
前記選択されたエンティティのセットが、前記位置の検証閾値を超える前記妥当なセットのうちのいくつかの候補のエンティティを含むと決定することに応答して、前記特定のエンティティの前記位置情報が検証されると決定するステップと
を含む動作を実行するための、コンピュータシステムによって実行可能な1つまたは複数の命令を記憶する非一時的コンピュータ可読記憶媒体。
【請求項１１】
前記特定のエンティティが第1のエンティティであり、前記候補のエンティティのセットが第1の候補のエンティティのセットであり、前記妥当なセットが第1の妥当なセットであり、前記選択されたエンティティのセットが第1の選択されたエンティティのセットであり、前記動作が、
第2のエンティティと関連する位置情報を識別するステップと、
前記位置情報に基づいて、前記候補の位置の基準を満たす候補エンティティを含む第2の妥当なセットを含む第2の候補のエンティティのセットを決定するステップと、
前記第2の候補のエンティティのセットおよび前記候補の位置の基準を前記第2のエンティティに送信するステップと、
前記候補のエンティティのうちの1つまたは複数を含む第2の選択されたエンティティのセットを受信するステップと、
前記第2の選択されたエンティティのセットが、前記位置の検証閾値を満たさない前記妥当なセットのうちのいくつかの候補エンティティを含むと決定するステップと、
前記第2の選択されたエンティティのセットが、前記位置の検証閾値を満たさない前記妥当なセットのうちのいくつかの候補エンティティを含むと決定することに応答して、前記特定のエンティティの前記位置情報が検証されないと決定するステップと、
をさらに含む、請求項10に記載の非一時的コンピュータ可読記憶媒体。
【請求項１２】
前記候補の位置の基準が近接条件を含む、請求項10に記載の非一時的コンピュータ可読記憶媒体。
【請求項１３】
前記近接条件が前記位置情報によって指定される位置の周りの区域を指定し、その位置が前記区域内である場合、候補のエンティティが前記近接条件を満たす、請求項12に記載の非一時的コンピュータ可読記憶媒体。
【請求項１４】
前記候補の位置の基準が非近接条件を含む、請求項10に記載の非一時的コンピュータ可読記憶媒体。
【請求項１５】
前記非近接条件が前記位置情報によって指定される位置の周りの区域を指定し、その位置が前記区域の外である場合、候補エンティティは前記非近接条件を満たす、請求項14に記載の非一時的コンピュータ可読記憶媒体。
【請求項１６】
前記候補のエンティティのセットが、各候補のエンティティのための、前記候補のエンティティの名前情報、前記候補のエンティティの実際の情景画像、および前記候補のエンティティの商標情報のうちの少なくとも一つを含む、請求項10に記載の非一時的コンピュータ可読記憶媒体。
【請求項１７】
前記位置の検証閾値が前記妥当なセットの割合を含む、請求項10に記載の非一時的コンピュータ可読記憶媒体。
【請求項１８】
前記特定のエンティティの前記位置情報が検証されると決定するステップが、前記特定のエンティティが前記位置情報に一致する物理的位置に関連すると決定するステップを含む、請求項10に記載の非一時的コンピュータ可読記憶媒体。
【請求項１９】
1つまたは複数のコンピュータと、
前記1つまたは複数のコンピュータと相互動作可能に結合され、前記1つまたは複数のコンピュータによって実行されると、1つまたは複数の動作を実行する1つまたは複数の命令を記憶する有形の非一時的機械可読媒体を有する1つまたは複数のコンピュータメモリデバイスと
を備えるコンピュータ実装システムであって、前記1つまたは複数の動作が、
特定のエンティティに関連する位置情報を識別するステップと、
前記位置情報に基づいて、複数の候補のエンティティを含む候補のエンティティのセットを決定するステップであって、各候補のエンティティが前記特定のエンティティとは異なり、前記候補のエンティティのセットが、候補の位置の基準を満たす候補のエンティティを含む妥当なセットを含む、ステップと、
前記候補のエンティティのセットおよび前記候補の位置の基準を前記特定のエンティティに送信するステップと、
前記候補のエンティティのうちの1つまたは複数を含む選択されたエンティティのセットを受信するステップと、
前記選択されたエンティティのセットが、位置の検証閾値を満たす前記妥当なセットのうちのいくつかの候補のエンティティを含むと決定するステップと、
前記選択されたエンティティのセットが、前記位置の検証閾値を超える前記妥当なセットのうちのいくつかの候補のエンティティを含むと決定することに応答して、前記特定のエンティティの前記位置情報が検証されると決定するステップと
を含む、コンピュータ実装システム。
【請求項２０】
前記特定のエンティティが第1のエンティティであり、前記候補のエンティティのセットが第1の候補のエンティティのセットであり、前記妥当なセットが第1の妥当なセットであり、前記選択されたエンティティのセットが第1の選択されたエンティティのセットであり、前記動作が、
第2のエンティティと関連する位置情報を識別するステップと、
前記位置情報に基づいて、前記候補の位置の基準を満たす候補エンティティを含む第2の妥当なセットを含む第2の候補のエンティティのセットを決定するステップと、
前記第2の候補のエンティティのセットおよび前記候補の位置の基準を前記第2のエンティティに送信するステップと、
前記候補のエンティティのうちの1つまたは複数を含む第2の選択されたエンティティのセットを受信するステップと、
前記第2の選択されたエンティティのセットが、前記位置の検証閾値を満たさない前記妥当なセットのうちのいくつかの候補エンティティを含むと決定するステップと、
前記第2の選択されたエンティティのセットが、前記位置の検証閾値を満たさない前記妥当なセットのうちのいくつかの候補エンティティを含むと決定することに応答して、前記特定のエンティティの前記位置情報が検証されないと決定するステップと、
をさらに含む、請求項19に記載のコンピュータ実装システム。